(57)【要約】【課題】  クロス、壁紙、塗壁等の壁材施工に際し、壁の下地ボードと壁材との間に介在させて壁材を補強する補強シートであって、地震等に強く、壁材更新時に古い壁材を比較的簡単に剥すことができ、新しい壁材施工のための平滑な下地面を得ることのできるものと、これを使用する壁面の仕上げ工法を提供すること。【解決手段】    薄い柔軟な網材を芯材として、その表裏両面に紙シートを接着一体化した補強シート。網材としては、寒冷沙を使用するのが好ましく、紙シートとしては、再生紙を使用するのが好ましい。この補強シートをボード表面に貼り付け、その上から壁材を施工する。【選択図】        図３
2008038525.tif 000002
【特許請求の範囲】
【請求項１】
壁面を構成する下地ボードと、該下地ボード表面を覆う壁材との間に介在させる補強シートであって、網材の表裏両面に紙シートを接着一体化したことを特徴とする壁材用補強シート。
【請求項２】
網材が寒冷紗である請求項１に記載の壁材用補強シート。
【請求項３】
防炎加工又は難燃加工が施されている請求項１又は２に記載の壁材用補強シート。
【請求項４】
壁面を構成する下地ボードの表面に、網材と紙シートとを接着一体化してなる補強シートを貼り付け、その上から壁材を貼り付けることを特徴とする壁面の仕上げ工法。
【発明の詳細な説明】
【技術分野】
【０００１】
本発明は、クロス、塗壁等の壁材施工に際し、壁の下地ボードと壁材との間に介在させて壁材を補強する補強シートと、これを用いる壁面の仕上げ工法に関するものである。
【背景技術】
【０００２】
建物の壁は、例えば石膏ボード等の下地ボードを取り付けることにより形成される。この下地ボードの表面には、下地材の保護のための保護シート（紙）が貼り合わせてあるのが一般的であるが、住居の壁の場合は、美観の向上のために、下地ボードの表面にクロス、壁紙、塗壁等の壁材を施工するのが普通である。
【０００３】
この壁面の施工に際しては、下地ボードの表面をパテ等を塗って平滑化し、しかる後壁材を貼り付けるので、手間がかかり、美麗な仕上げをするには熟練が必要である。なお、この種の壁材の施工に使用することのできる下地保護材に関連して、本発明者はすでに数件の発明を完成し、特許出願している。そのうちの例を挙げれば、例えば下記特許文献１、２に記載のものがある。
【０００４】
【特許文献１】特開２０００−３２８０１５号公報
【特許文献２】特開２００４−０１９４１１号公報
【０００５】
上記特許文献１に記載のものは、壁面に貼り付けられる壁紙等の継ぎ目部の下側に貼着することにより、該壁紙の剥離を効果的に防止することのできる壁紙めくれ防止テープである。特許文献２に記載のものは、下地ボードに貼られるクロスのジョイント部の切断時に下地ボードに傷がつかないようにするためのものであり、これらは、既に広く実用されている。
【発明の開示】
【発明が解決しようとする課題】
【０００６】
ところで、従来は、建物の壁の施工は、パテ等で平滑化した下地ボードの表面に、直にクロス、壁紙等の壁材を貼り付けていたので、地震等による振動を受けたときは、壁材にシワや亀裂等の損傷が発生しやすかった。また雨漏り等によるシミや異物の付着等により壁材が汚損されることもあった。このように、損傷や汚損を受けた壁材は、新しいものと取り替えることになるが、取り替えのために古い壁材を引き剥そうとすると、壁材がうまく剥れずに手間がかかるという問題があるほか、その一部が下地ボードに付着したまま残ったり、下地ボードの保護シートがまだらに引き剥されたりして、下地面に凹凸が生じ、新たな壁材を貼り付けても美観が損なわれるという問題があった。同様な問題は、住宅のリフォームの際にも生じていた。
【０００７】
そこで、本発明は、地震等の振動を受けても損傷しにくく、しかも古い壁材を剥すのが比較的容易で、壁材を剥した後に平滑な下地面を得ることのできる壁材用の補強シートを提供することを課題としている。
【課題を解決するための手段】
【０００８】
本発明は、上記課題を解決するため、次のような補強材を提供する。すなわち、本発明に係る壁材用補強シートは、壁面を構成する下地ボードと、該下地ボード表面を覆う壁材との間に介在させる補強シートであって、網材の表裏両面に紙シートを接着一体化したことを特徴としている。上記網材としては、寒冷沙を用いるのが好ましい。また、この補強シートには、火災対策のための防炎加工や難燃加工、シックハウスを防止するための有害ガス吸着機能の付与等の処理を施しておくのが好ましい。
【０００９】
また、本発明に係る壁面の仕上げ工法は、壁面を構成する下地ボードの表面に、網材と紙シートとを接着一体化してなる補強シートを貼り付け、その上から壁材を貼り付けることを特徴としている。
【発明の効果】
【００１０】
本発明に係る壁材用補強シートは、芯材である網材の両面に紙シートを貼り付けたもので、網材は一般に伸縮性に富んでいるから、この補強シート自体が壁材よりも伸縮性に富んでいる。このため、地震があっても、その振動を吸収することができ、壁材に直接大きな力がかかることを抑制することができる。また、網材と紙シートからなる複数層構造であるから、防音性、保温性、吸湿性等に優れている。
【００１１】
また、この補強シートの上に貼られている古い壁材を剥すときは、壁材と補強シートとの間で剥離が生じるようにすることによって、石膏ボード等の下地ボード表面が荒らされないので、平滑な下地面が得られ、新たな壁材を貼り付けたときに、優れた美観が得られる。
【００１２】
さらに、本発明に係る壁面の仕上げ工法によれば、網材と紙シートとを一体化した補強シートを下地ボード上に貼り付けた後、その上から壁材を施工するので、下地ボードに多少の凹凸があってもその凹凸が補強シートによって吸収され、平坦な下地面を比較的簡単に得ることができる。このため、壁材を貼り付けたときに美麗な仕上がりが得られる。
【発明を実施するための最良の形態】
【００１３】
以下、本発明の実施形態について具体的に説明する。図１は本発明に係る壁材用補強シートを例示するもので、この補強シート１は、網材（メッシュ）２の表裏両面に紙シート３，４が貼り付けられた３層構造となっている。補強シート１の寸法は、使用に便利な大きさとしておけばよく、壁紙等の定尺寸法程度としてもよい。所定幅の長尺のシートをロール状に巻いて供給し、現場で適当な寸法に切り出すようにしてもよい。
【００１４】
網材２は、適当な強度と柔軟性と伸縮性を備えた適度に薄いものであればよい。このような網材２としては、繊維をメッシュ状に編んだものを使用することができる。網材２を構成する繊維の材質としては、綿、麻、スフ、レーヨン、ビニロン、ポリエステル等が挙げられる。繊維の太さは、用途によって適当なものとすればよいが、通常は数十デニール乃至数百デニールのものを使用するのが好ましい。使用する繊維は、燃焼時に有毒ガスを発生せず、吸湿性に優れたものが好ましい。
【００１５】
網材２の網目２ａは、１インチ内に５〜２０本の繊維があるものが好ましい。網目２ａが細か過ぎると、伸縮性や柔軟性に問題があり、粗過ぎると強度が不十分となるほか、表面に網状の凹凸が生じやすいので、いずれも好ましくない。なお、網材２としては、入手性や経済性の観点から、細い繊維を目の粗いメッシュ状に織った寒冷沙を用いるのが好ましい。
【００１６】
紙シート３，４は、同じものでも異なるものでもよいが、経済性や、取扱上の見地から、表裏同じ紙を用いるのが好ましい。紙シート３，４としては、再生紙を使用するのが経済的である。紙シート３，４の厚みは、１０〜１００ｇ／ｍ2 のものが好ましく、２０〜４０ｇ／ｍ2 のものがより好ましい。紙シート３，４の厚みが厚過ぎると、不経済であるほか、剛性が増して取扱に不便であり、逆に薄過ぎると強度が低下するので損傷しやすくなるので、いずれも好ましくない。
【００１７】
上記網材２と表裏の紙シート３，４とは、接着剤で接着一体化する。接着剤としては、いわゆるシックハウスの問題が生じず、燃焼時に有毒ガスの発生しないものが好ましい。このため、溶剤系の接着剤ではなく、水系エマルジョンの接着剤、例えばアクリル系接着剤を使用するが好ましい。
【００１８】
補強シート１には、火災対策として、防炎加工や難燃加工を施しておくのが好ましい。また、補強シート自体は人体に有害なガスを発生しない材料で製作しておくのが好ましいが、さらに、他の建材から発生する有毒ガスによるシックハウスの問題を防止するため、有害ガス吸着機能を付与しておくのが好ましい。防炎加工や難燃加工は公知の方法で処理すればよい。また、有毒ガスの吸着機能を付与するためには、例えば補強シートに活性炭を含有させる等の手段を採用することができる。
【００１９】
この補強シート１は、建物の壁の内装に使用される。施工に際しては、壁を構成するボード１０、例えば石膏ボードの表面にこの補強シート１を貼り付け、その上にクロス、壁紙等の壁材２０を貼り付ける。ボードの継ぎ目は必要に応じてパテ等を充填して平滑にしておくのが好ましいが、この補強シート１を用いる場合は、パテ等による下地ボードの継ぎ目の平滑化処理を省略することも可能である。なお、一般的な使用のための補強シート１の厚みは０．５ｍｍ以下であるから、壁材２０の下側に介在させても問題はない。ボリューム感を得たい場合は、補強シート１の厚みを厚くすることもできる。
【００２０】
この補強シート１を下地としてクロス等の壁材を貼り付けると、平滑で美観上優れた仕上げを簡単に行うことができる。下地ボードに微細な凹凸があっても、補強シート１によって覆われるので、平滑な下地面が得られる。また、壁材２０と下地ボード１０との間に、伸縮性に優れた補強材が存在するので、壁自体が伸縮しても、その伸縮が補強シート１によって吸収され、表面の壁材２０に無理な力がかかりにくく、当該壁材２０にシワや亀裂等が発生しにくい。
【００２１】
一方、網材２と表裏両面の紙シート３，４からなる多層構造の補強シートが壁材２０の下側に存在するので、壁材の感触がソフトであり、吸音性、保温性、吸湿性等も良好である。また、網材２の部分に微細な空隙が存在して、空気の層ができるので、断熱効果が得られるとともに、湿気の排出も良好に行われ、結露も生じにくくなる。
【００２２】
つぎに、古くなった壁材２０の更新時に、古い壁材２０の引き剥す場合は、下地ボード１０の表面に補強シート１を残留させた状態で、壁材２０を補強シート１の表面から剥すことにより、平滑な下地面を得ることができる。例えば壁材２０がクロスである場合は、当該クロスの裏面に、当該クロスを下地面に貼り付けるための薄い裏紙が貼り付けられているのが一般的であるが、この裏紙は、補強シート１の表面に強固に貼り付けられているので、該裏紙とクロス本体との間に剥離が生じ、当該裏紙が補強シート１表面に貼り付いた状態で残留した状態で、クロス本体が引き剥される。このため、裏紙がまだらに残ることがなく、平滑な下地面が得られるのである。
【００２３】
なお、以上の説明では、壁材２０としてクロス、壁紙を例にとって説明したが、下地ボードの表面にケイソウ土等の壁材を塗布する塗壁の場合も、この補強シート１を介在させることにより同様な効果が得られる。さらに、場合によっては、網材２と紙シートを用いて、３層以上の多層構造とすることも可能である。また、以上の説明における補強シート１は、網材２を挟んで表裏両面に紙シートを貼り付けているが、場合によっては、表裏いずれか一方の面だけに紙シートを設けておくことも可能である。
【産業上の利用可能性】
【００２４】
本発明に係る壁材用補強シートは、紙、繊維等で構成されるもので、工業生産的に製造可能であり、建築の分野で効果的に使用することができるものである。
【図面の簡単な説明】
【００２５】
【図１】壁材用補強シートを模式的に表す断面図である。
【図２】その一部を破断面で示した平面図である。
【図３】施工法の説明図である。
【符号の説明】
【００２６】
１        壁材用補強シート
２        網材
３        紙シート
４        紙シート
１０        下地ボード
２０        壁材
【図１】
2008038525.tif 000003
【図２】
2008038525.tif 000004
【図３】
2008038525.tif 000005